(57)【要約】【課題】外装パネルの効率的な製造を可能にするコネクタホルダ取付構造を提供すること。【解決手段】メモリカード１０を脱着する際にメモリカード１０が通過するスリット２１Ａを有するコネクタホルダ２Ａの取付構造は、フレーム４Ａと、フレーム４Ａに対して位置決めされるコネクタ基板５と、コネクタ基板５に対して位置決めされる、メモリカード１０を脱着可能に装着するカードコネクタ６と、コネクタホルダ２Ａのスリット２１Ａを含む被露出部分２０Ａを露出する開口部３０を有し、且つ、フレーム４Ａに対して位置決めされるフロントパネル３とを含む。コネクタホルダ２Ａは、コネクタ基板５と係合する一対のリブ２６Ａに形成される一対の切り欠き２７Ａを有し、コネクタ基板５と切り欠き２７Ａとの係合により、フレーム４Ａに対して位置決めされる。【選択図】図１
2014186393.tif 000002
【特許請求の範囲】
【請求項１】
メモリカードを脱着する際に前記メモリカードが通過するスリットを有するコネクタホルダの取付構造であって、
フレームと、
前記フレームに対して位置決めされる基板と、
前記基板に対して位置決めされる、前記メモリカードを脱着可能に装着するカードコネクタと、
前記コネクタホルダの前記スリットを含む被露出部分を露出する開口部を有し、且つ、前記フレームに対して位置決めされるフロントパネルと、を含み、
前記コネクタホルダは、前記基板と係合する係合部を有し、前記基板と前記係合部との係合により、前記フレームに対して位置決めされる、
コネクタホルダ取付構造。
【請求項２】
前記フレームには、前記スリットの数が異なる複数のコネクタホルダが付け替え可能に取り付けられ、
前記スリットの数は、前記カードコネクタの数と同数である、
請求項１に記載のコネクタホルダ取付構造。
【請求項３】
前記フレームに対して付け替え可能に取り付けられる前記複数のコネクタホルダの前記被露出部分は、共通の輪郭を有する、
請求項２に記載のコネクタホルダ取付構造。
【請求項４】
前記複数のコネクタホルダは、前記被露出部分を前記フロントパネル側に突出させる、
請求項３に記載のコネクタホルダ取付構造。
【請求項５】
フレームに対して位置決めされるフロントパネルと、前記フレームに対して位置決めされる基板に取り付けられるカードコネクタとの間に配置されるコネクタホルダであって、
前記基板と係合する係合部と、
前記カードコネクタに脱着可能に装着されるメモリカードが通過するスリットと、を有し、
前記フロントパネルに形成される開口部を通じて前記スリットを含む被露出部分が露出されるように、前記基板と前記係合部との係合により、前記フレームに対して位置決めされる、
コネクタホルダ。
【発明の詳細な説明】
【技術分野】
【０００１】
本発明は、コネクタホルダ及びコネクタホルダ取付構造に関する。
【背景技術】
【０００２】
従来、メモリカードが挿入されるカードコネクタと、カードコネクタを被覆するように装着される外装部品としてのカードコネクタパネルとを有するメモリカードリーダ装置が知られている（例えば、特許文献１参照。）。このメモリカードリーダ装置では、カードコネクタパネルは、カードコネクタのカード挿入口を露出させるための開口部を有する。
【先行技術文献】
【特許文献】
【０００３】
【特許文献１】特開２００６−７９３３６号公報
【発明の概要】
【発明が解決しようとする課題】
【０００４】
しかしながら、特許文献１に記載のメモリカードリーダ装置では、カードコネクタパネルの開口部の数は、被覆するカードコネクタのカード挿入口の数に応じて決定される。そのため、カードコネクタパネルは、被覆するカードコネクタの数が仕向け先毎に異なる場合には、開口部の数以外の形状が共通する場合であっても、仕向け先毎に個別の部品として製造される必要があり、効率的でない。
【０００５】
上述の点に鑑み、本発明は、カードコネクタを被覆する外装部品の効率的な製造を可能にするコネクタホルダ及びコネクタホルダ取付構造を提供することを目的とする。
【課題を解決するための手段】
【０００６】
上述の目的を達成するために、本発明の実施例に係るコネクタホルダ取付構造は、メモリカードを脱着する際に前記メモリカードが通過するスリットを有するコネクタホルダの取付構造であって、フレームと、前記フレームに対して位置決めされる基板と、前記基板に対して位置決めされる、前記メモリカードを脱着可能に装着するカードコネクタと、前記コネクタホルダの前記スリットを含む被露出部分を露出する開口部を有し、且つ、前記フレームに対して位置決めされるフロントパネルと、を含み、前記コネクタホルダは、前記基板と係合する係合部を有し、前記基板と前記係合部との係合により、前記フレームに対して位置決めされる。
【０００７】
また、本発明の実施例に係るコネクタホルダは、フレームに対して位置決めされるフロントパネルと、前記フレームに対して位置決めされる基板に取り付けられるカードコネクタとの間に配置されるコネクタホルダであって、前記基板と係合する係合部と、前記カードコネクタに脱着可能に装着されるメモリカードが通過するスリットと、を有し、前記フロントパネルに形成される開口部を通じて前記スリットを含む被露出部分が露出されるように、前記基板と前記係合部との係合により、前記フレームに対して位置決めされる。
【発明の効果】
【０００８】
上述の手段により、本発明は、カードコネクタを被覆する外装部品の効率的な製造を可能にするコネクタホルダ及びコネクタホルダ取付構造を提供することができる。
【図面の簡単な説明】
【０００９】
【図１】本発明の実施例に係るコネクタホルダを含むフロントパネルアセンブリの斜視図である。
【図２】図１のコネクタホルダが取り付けられるフレームの斜視図である。
【図３】本発明の別の実施例に係るコネクタホルダを含むフロントパネルアセンブリの斜視図である。
【図４】図３のコネクタホルダが取り付けられるフレームの斜視図である。
【図５】コネクタホルダ、並びに、コネクタホルダの内部に収容されるコネクタ基板、カードコネクタ、及び板金ホルダの斜視図である。
【図６】図１のコネクタホルダの内部を被露出部分の裏側から見た斜視図である。
【図７】図２のフレームにおけるコネクタホルダ取付部分の斜視図である。
【図８】メモリカードの抜き差し方向（Ｘ軸方向）に延びてカードコネクタの中心を通る鉛直面における断面図を示す。
【図９】メモリカードの抜き差し方向（Ｘ軸方向）に延びてコネクタホルダの内部のリブの中心を通る鉛直面における断面図を示す。
【発明を実施するための形態】
【００１０】
以下、図面を参照しながら、本発明の実施例について説明する。
【００１１】
図１は、本発明の実施例に係るコネクタホルダ２Ａを含むフロントパネルアセンブリ１Ａの斜視図である。
【００１２】
フロントパネルアセンブリ１Ａは、電子機器の本体前面を形成するパネルアセンブリである。本実施例では、フロントパネルアセンブリ１Ａは、車載オーディオ機器の本体前面を形成するパネルアセンブリである。
【００１３】
コネクタホルダ２Ａは、メモリカードを脱着可能に装着するカードコネクタ（後述）を保持する部品である。本実施例では、コネクタホルダ２Ａは、樹脂成形される部品であり、フロントパネル３の開口３０を通じて露出する被露出部分２０Ａを有する。被露出部分２０Ａには、１枚のメモリカードを抜き差しできるように１つのスリット２１Ａが形成される。本実施例では、スリット２１Ａは、ＳＤメモリカードを抜き差しできるように形成される。
【００１４】
フロントパネル３は、電子機器の本体前面に取り付けられるパネルである。本実施例では、フロントパネル３は、車載オーディオ機器の本体前面に取り付けられるパネルであり、その前面には、ベゼル３１及び開閉ドア３２が取り付けられる。ベゼル３１は、化粧板であり、車載オーディオ機器のデザイン性を高めるために取り付けられる。また、開閉ドア３２は、フロントパネル３の開口３０を含む領域を覆うために取り付けられる開閉可能なドアである。具体的には、開閉ドア３２は、開かれた状態において開口３０を含む領域を露出させ、閉じられた状態において開口３０を含む領域を被覆する。なお、図１は、開かれた状態にある開閉ドア３２を示す。本実施例では、操作者は、開閉ドア３２を開き、スリット２１Ａを通じてメモリカードをカードコネクタに差し込む。また、操作者は、メモリカードがカードコネクタに差し込まれた状態で開閉ドア３２を閉じることができる。
【００１５】
図２は、図１のコネクタホルダ２Ａが取り付けられるフレーム４Ａの斜視図であり、図１のフロントパネルアセンブリ１Ａからフロントパネル３、ベゼル３１、開閉ドア３２等を取り外した状態を示す。
【００１６】
本実施例では、コネクタホルダ２Ａの被露出部分２０Ａは、図２に示すように、フロントパネル３の開口３０と同じ輪郭形状（四角形）を有する。また、被露出部分２０Ａは、組み立てられたときにその表面がフロントパネル３の表面とともに同一平面を形成するよう、フロントパネル３の方向（−Ｘ方向）に突出する。
【００１７】
また、コネクタホルダ２Ａは、フレーム４Ａへの取り付けのために用いられるフランジ部２３Ａを有する。
【００１８】
図３は、本発明の別の実施例に係るコネクタホルダ２Ｂを含むフロントパネルアセンブリ１Ｂの斜視図であり、図１に対応する。なお、図３のフロントパネルアセンブリ１Ｂは、主に、２枚のメモリカードを抜き差しできるように形成される２つのスリット２１Ｂ、２２Ｂを含む被露出部分２０Ｂを有するコネクタホルダ２Ｂを備える点で、図１のフロントパネルアセンブリ１Ａと相違する。一方で、図３のフロントパネルアセンブリ１Ｂは、図１のフロントパネルアセンブリ１Ａと同じフロントパネル３、ベゼル３１、及び開閉ドア３２を利用する。
【００１９】
具体的には、コネクタホルダ２Ｂは、フロントパネル３の開口３０を通じて露出する被露出部分２０Ｂを有する。被露出部分２０Ｂには、２枚のメモリカードを抜き差しできるように２つのスリット２１Ｂ、２２Ｂが形成される。本実施例では、スリット２１Ｂ及びスリット２２Ｂはそれぞれ、ＳＤメモリカードを抜き差しできるように形成される。
【００２０】
図４は、図３のコネクタホルダ２Ｂが取り付けられるフレーム４Ｂの斜視図であり、図２に対応する。また、図４は、図３のフロントパネルアセンブリ１Ｂからフロントパネル３、ベゼル３１、開閉ドア３２等を取り外した状態を示す。
【００２１】
本実施例では、コネクタホルダ２Ｂの被露出部分２０Ｂは、図４に示すように、フロントパネル３の開口３０と同じ輪郭形状（四角形）を有する。すなわち、コネクタホルダ２Ｂの被露出部分２０Ｂは、図２のコネクタホルダ２Ａの被露出部分２０Ａと同じ輪郭形状を有する。また、被露出部分２０Ｂは、コネクタホルダ２Ａの被露出部分２０Ａと同様、組み立てられたときにその表面がフロントパネル３の表面とともに同一平面を形成するよう、フロントパネル３の方向（−Ｘ方向）に突出する。
【００２２】
なお、図４に示すコネクタホルダ２Ｂの全体的な形状は、フレーム４Ｂへの取り付けのために用いられるフランジ部２３Ｂ等の部分で、図２に示すコネクタホルダ２Ａの全体的な形状と相違する。しかしながら、コネクタホルダ２Ｂの全体的な形状は、被露出部分２０Ｂの内部形状（スリットの数、配置等）を除き、コネクタホルダ２Ａの全体的な形状と同じであってもよい。また、フレーム４Ｂの形状もフレーム４Ａの形状と同じであってもよい。
【００２３】
次に、図５〜図９を参照して、図１のコネクタホルダ２Ａの取付構造について説明する。なお、図５は、コネクタホルダ２Ａ、並びに、コネクタホルダ２Ａの内部に収容されるコネクタ基板５、カードコネクタ６、及び板金ホルダ７の斜視図である。また、図６は、コネクタホルダ２Ａの内部を被露出部分２０Ａの裏側から見た斜視図である。また、図７は、フレーム４Ａにおけるコネクタホルダ２Ａが取り付けられる部分の斜視図である。また、図８は、メモリカード１０の抜き差し方向（Ｘ軸方向）に延びてカードコネクタ６の中心を通る鉛直面における断面図を示す。また、図９は、メモリカード１０の抜き差し方向（Ｘ軸方向）に延びてコネクタホルダ２Ａの内部のリブ２６Ａ１の中心を通る鉛直面における断面図を示す。
【００２４】
図５に示すように、コネクタホルダ２Ａは、コネクタ基板５、カードコネクタ６、及び板金ホルダ７をその内部に収容する。
【００２５】
コネクタ基板５は、カードコネクタ６を実装する基板である。本実施例では、コネクタ基板５は、その表面（図中下面）が水平となるように配置され、その表面とカードコネクタ６の表面（図中上面）とが平行となるようにカードコネクタ６を実装する。なお、コネクタ基板５は、その表面が鉛直となるように配置されてもよく、水平面又は鉛直面に対して傾斜するように配置されてもよい。また、コネクタ基板５は、その表面とカードコネクタ６の表面とが垂直となるようにカードコネクタ６を実装してもよく、その表面がカードコネクタ６の表面に対して傾斜するようにカードコネクタ６を実装してもよい。
【００２６】
また、本実施例では、コネクタ基板５は、カードコネクタ６を実装した状態で、板金ホルダ７のクリンチ部７０により保持される。そして、コネクタ基板５は、その状態で板金ホルダ７に半田付け固定される。また、コネクタ基板５は、板金ホルダ７を介して接地される。
【００２７】
カードコネクタ６は、メモリカード１０を脱着可能に装着するメモリカード用コネクタである。本実施例では、カードコネクタ６は、コネクタ基板５及び板金ホルダ７を介してフレーム４Ａに取り付けられる。
【００２８】
板金ホルダ７は、コネクタ基板５を保持する部材である。本実施例では、板金ホルダ７は、コネクタ基板５の表面が水平となるようにコネクタ基板５を保持した状態で、フレーム４Ａに位置決めされる。
【００２９】
具体的には、板金ホルダ７は、コネクタ基板５を保持する部分とその部分に対して垂直に延びるフランジ部を有する。そして、板金ホルダ７は、そのフランジ部に形成される孔部７１、７２とフレーム４Ａの表面に形成される凸部４１Ａ、４２Ａ（図７及び図８参照。）とを嵌合させる。このようにして、板金ホルダ７は、フレーム４Ａに位置決めされる。
【００３０】
その結果、カードコネクタ６は、コネクタ基板５及び板金ホルダ７を介してフレーム４Ａに位置決めされる。なお、板金ホルダ７は、フレーム４Ａと一体的に形成されてもよい。その場合、個別の部材としての板金ホルダ７は省略され、コネクタ基板５は、フレーム４Ａに直接的に取り付けられ、且つ、位置決めされる。また、コネクタ基板５は、フレーム４Ａを介して接地される。
【００３１】
コネクタホルダ２Ａは、フレーム４Ａに対して位置決めされたコネクタ基板５、カードコネクタ６、及び板金ホルダ７を覆うように被せられる。なお、コネクタホルダ２Ａの内部には、図６に示すように、スリット２１Ａの幅方向（Ｙ軸方向）におけるスリット２１Ａの両側に一対のリブ２６Ａが設けられ、一対のリブ２６Ａには一対の切り欠き２７Ａが設けられる。具体的には、スリット２１Ａの＋Ｙ方向側にリブ２６Ａ１が設けられ、スリット２１Ａの−Ｙ方向側にリブ２６Ａ２が設けられる。また、リブ２６Ａ１には、その中央部分に切り欠き２７Ａ１が設けられ、リブ２６Ａ２にも、その中央部分に切り欠き２７Ａ２が設けられる。
【００３２】
そのため、コネクタホルダ２Ａがコネクタ基板５、カードコネクタ６、及び板金ホルダ７を覆うように被せられると、図９に示すように、コネクタ基板５の−Ｘ方向側の端部５０が一対の切り欠き２７Ａと係合する。なお、切り欠き２７Ａの厚み（Ｚ軸方向の幅）は、コネクタ基板５の厚み（Ｚ軸方向の幅）に適合するよう予め決定される。また、図９に示すように、一対のリブ２６Ａにおける一対の切り欠き２７Ａの位置は、一対の切り欠き２７Ａ内にコネクタ基板５が位置付けられたときにコネクタ基板５に実装されるカードコネクタ６の高さ（Ｚ軸方向の位置）とスリット２１Ａの高さ（Ｚ軸方向の位置）とが一致するように予め決定される。このようにして、コネクタホルダ２Ａは、カードコネクタ６の厚み方向（Ｚ軸方向）に関してフレーム４Ａに位置決めされる。
【００３３】
また、コネクタホルダ２Ａは、フランジ部２３Ａに形成される孔部２４Ａ、２５Ａとフレーム４Ａの表面に形成される凸部４４Ａ、４５Ａ（図７参照。）とを嵌合させる。このようにして、コネクタホルダ２Ａは、カードコネクタ６の幅方向（Ｙ軸方向）に関してフレーム４Ａに位置決めされる。
【００３４】
その後、図８に示すように、コネクタホルダ２Ａは、コネクタホルダ２Ａ自身と、コネクタ基板５、カードコネクタ６、及び板金ホルダ７とがフレーム４Ａに対して位置決めされた状態で、フレーム４Ａに対して固定される。具体的には、コネクタホルダ２Ａは、コネクタホルダ２Ａとフレーム４Ａとの間に板金ホルダ７を挟んだ状態で、ネジ８を用いてフレーム４Ａに固定される。なお、図８の一点鎖線は、フレーム４Ａの表面を含む平面を表す。
【００３５】
その後、図８に示すように、フロントパネル３がフレーム４Ａに取り付けられ、さらに、フロントパネル３の表面にベゼル３１及び開閉ドア３２等の外装部品が取り付けられる。なお、フロントパネル３には、コネクタホルダ２Ａの被露出部分２０Ａの輪郭形状に適合する開口３０が設けられている。そのため、フロントパネル３がフレーム４Ａに取り付けられた後も開口３０から被露出部分２０Ａが露出し、スリット２１Ａ及びその周辺部分は、外部から視認可能な状態となる。
【００３６】
以上の構成により、コネクタホルダ２Ａ及びその取付構造は、カードコネクタ６のカード挿入口と、コネクタホルダ２Ａのスリット２１Ａとを高い寸法精度で位置決めすることができる。また、部品寸法のばらつきが、コネクタホルダ２Ａの被露出部分２０Ａとフロントパネル３の開口３０との間のクリアランスにまとめて吸収される。そのため、メモリカード１０の抜き差しの際にメモリカード１０がスリット２１Ａと干渉するのを防止できる。
【００３７】
また、コネクタホルダ２Ａ及びその取付構造は、メモリカード１０の抜き差しの際にメモリカード１０がスリット２１Ａと干渉するのを防止するために、カードコネクタ６に脱着されるメモリカード１０とスリット２１Ａとの間のクリアランスを過度に大きくする必要がない。すなわち、スリット２１Ａの厚みを過度に厚くする必要がない。
【００３８】
また、高い寸法精度で位置決めが行われるため、マイクロＳＤカードのような薄いメモリカードが抜き差しされるような場合であっても、スリット２１Ａの厚みを薄く設定することができる。そのため、コネクタホルダ２Ａの内側にあるカードコネクタ６のカード挿入口付近の空間にメモリカードが誤って挿入されるのを防止できる。
【００３９】
なお、コネクタホルダ２Ａ及びその取付構造による効果及び変形例は、以下に説明する効果及び変形例を含め、コネクタホルダ２Ｂ及びその取付構造によっても同様に実現される。また、図３のフロントパネルアセンブリ１Ｂは、図１のフロントパネルアセンブリ１Ａと同じコネクタ基板５、カードコネクタ６、及び板金ホルダ７を利用できる。
【００４０】
例えば、上述の実施例では、コネクタホルダ２Ａ、２Ｂは、フロントパネル３とは別の部材として構成される。そのため、仕向け先の仕様等に応じてスリットの数を異ならせる場合であっても、コネクタホルダ２Ａ、２Ｂを付け替え可能にすればよく、フロントパネル３、ベゼル３１、開閉ドア３２等の外装部品を仕向け先毎に用意する必要がない。フロントパネル３の金型に入れ子構造を採用する必要もない。すなわち、仕向け先の仕様等に応じてスリットの数を異ならせる場合であっても、フロントパネル３、ベゼル３１、開閉ドア３２等の外装部品を共用できるようにする。その結果、外装部品の効率的な製造を可能にし、外装部品の製造コストを低減させることができる。
【００４１】
また、上述の実施例では、コネクタホルダ２Ａの内部に形成される一対の切り欠き２７Ａとコネクタ基板５の端部５０とを係合させることによって、コネクタホルダ２Ａがフレーム４Ａに対して位置決めされる。そのため、コネクタホルダ２Ａ及びその取付構造は、コネクタ基板５に実装されるカードコネクタ６の高さ（Ｚ軸方向の位置）とスリット２１Ａの高さ（Ｚ軸方向の位置）との間のズレを最小限に抑えることができる。また、メモリカード１０の抜き差しの際にメモリカード１０がスリット２１Ａと干渉するのを抑制或いは防止できる。しかしながら、本発明は、この構成に限定されるものではない。例えば、コネクタホルダ２Ａは、その内部に形成される一対のリブ２６Ａと一対の切り欠き２７Ａの組み合わせ以外の構造を用いて、コネクタ基板５と係合するように構成されてもよい。例えば、コネクタホルダ２Ａは、メモリカードの抜き差し方向（Ｘ軸方向）にコネクタ基板５を挟むように延びる複数のボスを用いてコネクタ基板５と係合するように構成されてもよい。
【００４２】
また、上述の実施例では、コネクタホルダ２Ａは、コネクタ基板５の端部５０と係合するように構成される。しかしながら、本発明はこの構成に限定されるものではない。例えば、コネクタホルダ２Ａは、コネクタホルダ２Ａに形成されたリブとコネクタ基板５に形成された切り欠きを係合させてもよく、コネクタホルダ２Ａに形成された凸部とコネクタ基板５に形成された孔部を嵌合させてもよい。その場合、カードコネクタ６は、その表面がコネクタ基板５の表面に対して垂直となるよう固定され、また、コネクタ基板５は、その表面がフレーム４Ａの表面に対して平行となるようにフレーム４Ａに固定されてもよい。
【００４３】
また、上述の実施例では、コネクタホルダ２Ａの被露出部分２０Ａは、組み立てられたときにその表面がフロントパネル３の表面とともに同一平面を形成するよう、フロントパネル３の方向（−Ｘ方向）に突出する。しかしながら、本発明はこの構成に限定されるものではない。例えば、被露出部分２０Ａは、その表面がフロントパネル３の表面から僅かに凹んだところに位置するように構成されてもよい。その場合、被露出部分２０Ａは、フランジ部２３Ａから突出する必要はない。
【００４４】
また、上述の実施例では、コネクタホルダ２Ａの被露出部分２０Ａの輪郭形状は四角形であるが、円形、楕円形、多角形等の他の形状であってもよい。また、上述の実施例では、被露出部分２０Ａの大きさは、２つのスリットを配置可能な面積を有するが、１つのスリットのみを配置可能な面積であってもよく、３つ以上のスリットを配置可能な面積であってもよい。
【００４５】
また、上述の実施例では、コネクタホルダ２Ａのスリット２１Ａは、メモリカード１０を水平（横）にして挿入できるよう横長形状を採用するが、メモリカード１０を鉛直（縦）にして挿入できるよう縦長形状を採用してもよい。その場合、コネクタ基板５、カードコネクタ６、及び板金ホルダ７は、鉛直に挿入されるメモリカード１０を受け入れられる姿勢でフレーム４Ａに固定される。
【００４６】
また、上述の実施例では、コネクタホルダ２Ａは、コネクタ基板５、カードコネクタ６、及び板金ホルダ７を収容する部分が、フランジ部２３Ａからフロントパネル３の方向（−Ｘ方向）に突出するように構成される。しかしながら、本発明はこの構成に限定されるものではない。例えば、コネクタホルダ２Ａは、コネクタ基板５と係合する部分がフランジ部２３Ａから突出しないように構成されてもよい。その場合、コネクタ基板５、カードコネクタ６、及び板金ホルダ７は、フレーム４Ａの表面から突出しないようにフレーム４Ａに固定される。
【００４７】
以上、本発明の好ましい実施例について詳説したが、本発明は、上述した実施例に制限されることはなく、本発明の範囲を逸脱することなく、上述した実施例に種々の変形及び置換を加えることができる。
【００４８】
例えば、上述の実施例では、コネクタホルダ２Ａ、２Ｂ及びそれらの取付構造は、車載オーディオ機器の本体前面を形成するパネルアセンブリに対して適用されるが、携帯電話、スマートフォン、タブレットＰＣ等の電子機器の本体表面を形成するパネルに対して適用されてもよい。
【符号の説明】
【００４９】
１Ａ、１Ｂ・・・フロントパネルアセンブリ  ２Ａ、２Ｂ・・・コネクタホルダ  ３・・・フロントパネル  ４Ａ、４Ｂ・・・フレーム  ５・・・コネクタ基板  ６・・・カードコネクタ  ７・・・板金ホルダ  ８・・・ネジ  １０・・・メモリカード  ２０Ａ、２０Ｂ・・・被露出部分  ２１Ａ、２１Ｂ、２２Ｂ・・・スリット  ２３Ａ、２３Ｂ・・・フランジ部  ２４Ａ、２５Ａ・・・孔部  ２６Ａ、２６Ａ１、２６Ａ２・・・リブ  ２７Ａ、２７Ａ１、２７Ａ２・・・切り欠き  ３０・・・開口  ３１・・・ベゼル  ３２・・・開閉ドア  ４１Ａ、４２Ａ、４４Ａ、４５Ａ・・・凸部  ５０・・・コネクタ基板の端部  ７０・・・クリンチ部  ７１、７２・・・孔部
【図１】
2014186393.tif 000003
【図２】
2014186393.tif 000004
【図３】
2014186393.tif 000005
【図４】
2014186393.tif 000006
【図５】
2014186393.tif 000007
【図６】
2014186393.tif 000008
【図７】
2014186393.tif 000009
【図８】
2014186393.tif 000010
【図９】
2014186393.tif 000011